(57)【特許請求の範囲】
【請求項１】
送信装置からビットストリームを受信するデータ受信部と、
前記ビットストリームをデインターリービングしたデインターリービングデータを生成するデインターリーバ部と、
前記デインターリービングデータの出力ビット、出力クロック周波数、ダイバーシティ転送クロック周波数に基づいて最小化したダイバーシティデータ転送ライン数を算出し、前記ダイバーシティデータ転送ライン数を用いて互いに異なるダイバーシティ処理部と通信を遂行すると共に、ダイバーシティ結合したダイバーシティ転送信号を他のダイバーシティ処理部に転送するダイバーシティ処理部と、
を含むことを特徴とする、ダイバーシティ受信装置。
【請求項２】
ダイバーシティ処理部は、
前記デインターリービングデータの出力ビットと前記出力クロック周波数の積を前記ダイバーシティ転送クロック周波数で割った値に基づいて前記ダイバーシティデータ転送ライン数を算出することを特徴とする、請求項１に記載のダイバーシティ受信装置。
【請求項３】
互いに異なるダイバーシティ処理部が少なくとも２つ以上連結され、相互間でダイバーシティ転送信号を転送する複数個のスレーブと、前記複数個のスレーブのうち、最終スレーブから最終結合されたダイバーシティ転送信号を獲得する１つのマスターの構造を有し、前記複数個のスレーブのうち、最初スレーブから前記マスターの順序でダイバーシティ結合したダイバーシティ転送信号が伝達されることを特徴とする、請求項１又は２に記載のダイバーシティ受信装置。
【請求項４】
前記ダイバーシティ処理部は、
前記デインターリーバ部の出力データである前記デインターリービングデータの有効区間の間にシンボル開始信号を挿入してダイバーシティ制御転送区間を１つのラインに設定することを特徴とする、請求項１乃至３のいずれかに記載のダイバーシティ受信装置。
【請求項５】
前記ダイバーシティ処理部は、
シンボルインデックス情報を含むシステム情報を前記シンボル開始信号の次のサイクルのデータラインに転送することを特徴とする、請求項４に記載のダイバーシティ受信装置。
【請求項６】
前記ダイバーシティ処理部は、
前記ダイバーシティデータ転送ライン数によって直列化したデータをデコーディングする受信信号デコーダ部と、
入力されたデータのシンボルの開始位置を一致させる同期化を遂行し、データ有効区間の間の遅延に対するしきい値を設定して遅延メモリサイズを決定する結合部と、
スレーブまたはマスターか否かによってデータを転送するか否かを決定する転送信号エンコーダ部と、
を含むことを特徴とする、請求項１乃至５のいずれかに記載のダイバーシティ受信装置。
【請求項７】
前記ダイバーシティ処理部は、
前記デインターリーバ部のデータ出力区間によってダイバーシティ転送のための追加データバッファーリング無しでダイバーシティ転送信号をシンボル単位でリアルタイム転送することを特徴とする、請求項１乃至６のいずれかに記載のダイバーシティ受信装置。
【請求項８】
前記ダイバーシティ処理部は、
シンボル開始信号とデータ有効区間の間に遅延しきい値に基づいてダイバーシティ結合に用いられる同期化メモリサイズを決定することを特徴とする、請求項１乃至７のいずれかに記載のダイバーシティ受信装置。
【請求項９】
前記ダイバーシティ処理部は、
前記複数のスレーブまたは前記マスターのうち、いずれか一個所で例外動作が発生してリセットによる初期化が発生する場合、リセットの発生時点がダイバーシティ処理の有効区間を回避するように再生成してシンボル単位で処理されるシンボル単位のデータまたは制御信号の切れによる追加的な制御ロジックを不要にすることを特徴とする、請求項３に記載のダイバーシティ受信装置。
【請求項１０】
前記デインターリービングデータを復調した復調データを出力するデマッパーと、
前記復調データを復号化した復号化データを生成する復号化部と、
をさらに含むことを特徴とする、請求項１乃至９のいずれかに記載のダイバーシティ受信装置。
【請求項１１】
送信装置からビットストリームを受信するデータ受信部と、
前記ビットストリームをデインターリービングしたデインターリービングデータを生成するデインターリーバ部と、
前記デインターリービングデータを復調した復調データを出力するデマッパーと、
前記復調データの出力ビット、前記デインターリービングデータの出力クロック周波数、ダイバーシティ転送クロック周波数に基づいて最小化したダイバーシティデータ転送ピン数を算出し、前記ダイバーシティデータ転送ピン数を用いて互いに異なるダイバーシティ処理部と通信を遂行すると共に、ダイバーシティ結合したダイバーシティ転送信号を他のダイバーシティ処理部に転送するダイバーシティ処理部と、
を含むことを特徴とする、ダイバーシティ受信装置。
【請求項１２】
前記ダイバーシティ処理部は、
前記復調データの出力ビットと前記デインターリービングデータの出力クロック周波数の積を前記ダイバーシティ転送クロック周波数で割った値に基づいて前記ダイバーシティデータ転送ピン数を算出することを特徴とする、請求項１１に記載のダイバーシティ受信装置。
【請求項１３】
前記復調データを復号化した復号化データを生成する復号化部をさらに含むことを特徴とする、請求項１１又は１２に記載のダイバーシティ受信装置。
【発明の詳細な説明】
【技術分野】
【０００１】
本発明は、ＩＳＤＢ−Ｔ（Integrated Services Digital Broadcasting-Terrestrial）モバイル放送のダイバーシティ受信装置に関するものである。
【背景技術】
【０００２】
以下に記述される内容は単純に本発明と関連する背景情報のみを提供するだけであり、従来技術を構成するものでないことを明らかにする。
【０００３】
ディジタル信号を転送する方式として、直交周波数分割多重（Orthogonal Frequency Division Multiplexing；ＯＦＤＭ）方式（以下、ＯＦＤＭ方式という）と呼ばれる変調方式が用いられている。ＯＦＤＭ方式は、転送帯域の内に多数の直交する副搬送波（サブキャリア）を設定し、各サブキャリアの振幅及び位相にＰＳＫ（Phase Shift Keying）やＱＡＭ（Quadrature Amplitude Modulation）によりデータを割り当ててディジタル変調する方式をいう。
【０００４】
ＯＦＤＭ方式は多数のサブキャリアに転送帯域を分割するため、サブキャリア１波当たり帯域が狭くなって変調速度は遅くなるが、全体転送速度は一般的な変調方式と異ならないという特徴を有する。また、ＯＦＤＭ方式によれば、多数のサブキャリアが並列に転送されるので、シンボル速度が遅くなるようになって、シンボルの時間長さに対する相対的なマルチパス（Multi-Path）の時間長さを短くすることができるので、マルチパス妨害に強いという特徴を有する。
【０００５】
したがって、このようなＯＦＤＭ方式はマルチパス妨害の影響を強く受ける地上ディジタル放送に適用される場合が多い。このようなＯＦＤＭ方式を採用した地上ディジタル放送には、例えば、ＤＶＢ−Ｔ（Digital Video Broadcasting-Terrestrial）、ＩＳＤＢ−Ｔ（Integrated Services Digital Broadcasting-Terrestrial）、ＩＳＤＢ−ＴＳＢ（ISDBT Sound Broadcasting）などの規格がある。
【０００６】
但し、ＯＦＤＭ方式の受信機で受信チップ（Receiver Chip）のサイズが小さくなるによってピン数を最小化することができる技術とダイバーシティ運用メモリのサイズを最小化することができる技術を必要とする。
【発明の概要】
【発明が解決しようとする課題】
【０００７】
本発明は、ダイバーシティ受信装置を具現するに当たって、受信チップと受信チップを連結するピン数（Pin Count）を最小化し、受信チップの内部の運用メモリサイズを最小化することができるようにする受信装置を提供することをその目的とする。
【課題を解決するための手段】
【０００８】
本発明の一態様によれば、送信装置からビットストリーム（Bitstream）を受信するデータ受信部、上記ビットストリームをデインターリービング（Deinterleaving）したデインターリービングデータを生成するデインターリーバ部（Deinterleaver）、及び上記デインターリービングデータの出力ビット、出力クロック周波数、ダイバーシティ転送クロック周波数に基づいて最小化したダイバーシティデータ転送ライン数を算出し、上記ダイバーシティデータ転送ライン数を用いて互いに異なるダイバーシティ処理部と通信を遂行するダイバーシティ処理部を含むことを特徴とする、ダイバーシティ受信装置を提供する。
【０００９】
ダイバーシティ受信装置のダイバーシティ処理部は、上記デインターリービングデータの出力ビットと上記出力クロック周波数の積を上記ダイバーシティ転送クロック周波数で割った値に基づいて上記ダイバーシティデータ転送ライン数を算出することができる。
【００１０】
ダイバーシティ受信装置の互いに異なるダイバーシティ処理部が少なくとも２つ以上連結され、相互間にダイバーシティ転送信号を転送する複数個のスレーブと、上記複数個のスレーブのうち、最終スレーブから最終結合されたダイバーシティ転送信号を獲得する１つのマスターの構造を有し、上記複数個のスレーブのうち、最初スレーブから上記マスターの順序でデータが伝達できる。
【００１１】
ダイバーシティ受信装置のダイバーシティ処理部は、上記デインターリーバ部の出力データである上記デインターリービングデータの有効区間の間にシンボル開始信号を挿入してダイバーシティ制御転送区間を１つのラインに設定することができる。
【００１２】
ダイバーシティ受信装置のダイバーシティ処理部は、シンボルインデックス（Symbol Index）情報を含むシステム情報を上記シンボル開始信号の次のサイクルのデータラインに転送することができる。
【００１３】
ダイバーシティ受信装置のダイバーシティ処理部は、上記ダイバーシティデータ転送ライン数によって直列化したデータをデコーディングする受信信号デコーダ部、入力されたデータのシンボルの開始位置を一致させる同期化を遂行し、データ有効区間の間の遅延に対するしきい値を設定して遅延メモリサイズを決定する結合部、及びスレーブまたはマスターか否かによってデータ転送するか否かを決定する転送信号エンコーダ部を含むことができる。
【００１４】
ダイバーシティ受信装置のダイバーシティ処理部は、上記デインターリーバ部のデータ出力区間によってダイバーシティ転送のための追加データバッファーリング無しでダイバーシティ転送信号をシンボル単位でリアルタイム転送することができる。
【００１５】
ダイバーシティ受信装置のダイバーシティ処理部は、シンボル開始信号とデータ有効（Valid）区間の間に遅延（Delay）しきい値に基づいてダイバーシティ結合に用いられる同期化メモリサイズを決定することができる。
【００１６】
ダイバーシティ受信装置のダイバーシティ処理部は、上記複数のスレーブまたは上記マスターのうち、いずれか一個所で例外動作が発生してリセットによる初期化が発生する場合、リセットの発生時点がダイバーシティ処理の有効区間を回避するように再生成してシンボル単位で処理されるシンボル単位のデータまたは制御信号の切れによる追加的な制御ロジックを不要にする。
【００１７】
ダイバーシティ受信装置は、上記デインターリービングデータを復調（Demodulation）した復調データを出力するデマッパー（Demapper）、及び上記復調データを復号化（Decoding）した復号化データを生成する復号化部（Decoder）をさらに含むことができる。
【００１８】
また、本発明の他の態様によれば、送信装置からビットストリームを受信するデータ受信部、上記ビットストリームをデインターリービングしたデインターリービングデータを生成するデインターリーバ部、上記デインターリービングデータを復調した復調データを出力するデマッパー、及び上記復調データの出力ビット、上記デインターリービングデータの出力クロック周波数、ダイバーシティ転送クロック周波数に基づいて最小化したダイバーシティデータ転送ピン数を算出し、上記ダイバーシティデータ転送ピン数を用いて互いに異なるダイバーシティ処理部と通信を遂行するダイバーシティ処理部を含むことを特徴とする、ダイバーシティ受信装置を提供する。
【００１９】
ダイバーシティ受信装置のダイバーシティ処理部は、上記復調データの出力ビットと上記デインターリービングデータの出力クロック周波数の積を上記ダイバーシティ転送クロック周波数で割った値に基づいて上記ダイバーシティデータ転送ピン数を算出することができる。
【００２０】
ダイバーシティ受信装置は、上記復調データを復号化した復号化データを生成する復号化部をさらに含むことができる。
【発明の効果】
【００２１】
本発明によれば、ダイバーシティ受信装置を具現するに当たって、受信チップと受信チップを連結するピン数を最小化し、受信チップの内部の運用メモリサイズを最小化することができる効果がある。
【００２２】
また、本発明によれば、ダイバーシティ結合時、複雑な制御ロジック無しで受信チップの安定性を保証することができる効果がある。
【図面の簡単な説明】
【００２３】
【図１】本発明の実施形態に従うＩＳＤＢ−Ｔ単一受信チップを２つ以上を連結したダイバーシティ受信装置を概略的に示すブロック構成図である。
【図２】本発明の実施形態に従うダイバーシティインターフェースのタイミングを示す図である。
【図３】本発明の実施形態に従うダイバーシティ処理部を概略的に示すブロック構成図である。
【図４】本発明の実施形態に従う受信チップを初期化するリセット信号を再生成するタイミングを示す図である。
【発明を実施するための形態】
【００２４】
以下、本発明の実施形態を添付した図面を参照して詳細に説明する。
【００２５】
本実施形態は、ＩＳＤＢ−Ｔ（Integrated Services Digital Broadcasting-Terrestrial）モバイル放送のダイバーシティ受信装置１００に対するものである。
【００２６】
ダイバーシティ受信装置１００は、無線周波数環境で互いに独立的なチャンネルを受信して受信性能を向上させる装置である。ダイバーシティ受信装置１００は、複数個の受信チップのうち、受信状態の良い受信チップのみを選択して利用したり、各受信チップのデータを結合して、より良い受信性能を得ることができる装置である。ダイバーシティ受信装置１００の内のＩＳＤＢ−Ｔ単一受信チップは少なくとも２つ以上が連結されて通信を遂行する。
【００２７】
ダイバーシティ受信装置１００は、内部のダイバーシティ処理部１２０の構造と受信機のクロック運用を用いてデータピン及びコントロールピンを最小化し、ＯＦＤＭシンボル単位でリアルタイムダイバーシティ結合を可能にして内部メモリを最小化することができる。言い換えると、ダイバーシティ受信装置１００は単一受信チップを２つ以上互いに連結する時、受信チップのサイズが小さくなることによって通信のために割り当てられる専用ピン数を最小化し、ダイバーシティ運用メモリのサイズを最小化することができる。
【００２８】
また、ダイバーシティ受信装置１００は、２つ以上の受信チップが互いに連結されて動作するので、ダイバーシティ運用中、特定受信チップに問題が発生する場合、ダイバーシティ処理の有効区間を回避するようにリセットの発生時点を調節してダイバーシティ受信装置１００の安定性を保証する。ダイバーシティ受信装置１００は、受信チップのリセット信号制御を用いてダイバーシティ処理部の内で複雑な制御ロジック無しで受信チップの安定性を保証することができる。
【００２９】
図１は、本発明の実施形態に従うＩＳＤＢ−Ｔ単一受信チップを２つ以上連結したダイバーシティ受信装置を概略的に示すブロック構成図である。
【００３０】
本実施形態に従うダイバーシティ受信装置１００は、複数個のスレーブ（Slave）１１０、１３０と１つのマスター（Master）１５０で具現される。ここで、複数個のスレーブ１１０、１３０と１つのマスター１５０は、各々ＲＦ処理部１１２、ＯＦＤＭ信号処理部１１４、チャンネル補償部１１６、デインターリーバ部１１８、ダイバーシティ処理部１２０、デマッパー１２２、及びチャンネル復号化部１２４を含む。
【００３１】
ダイバーシティ受信装置１００の内のスレーブとマスター構造について説明すると、互いに異なるダイバーシティ処理部が少なくとも２つ以上連結され、２つ以上のダイバーシティ処理部は相互間にダイバーシティ転送信号を転送する複数個のスレーブ１１０、１３０と、複数個のスレーブ１１０、１３０のうち、最終スレーブ（例えば、スレーブ−１ １３０）から最終結合されたダイバーシティ転送信号を獲得する１つのマスター１５０の構造を有する。複数個のスレーブ１１０、１３０のうち、最初スレーブ（例えば、スレーブ−０ １１０）からマスター１５０の順序でデータが伝達される。
【００３２】
ＲＦ処理部１１２は、備えられたチャンネル別受信アンテナを用いて送信機（送信装置）からアナログデータ（ビットストリーム）を受信する。即ち、ＲＦ処理部１１２は送信機からビットストリームを受信する。以後、アナログディジタルコンバータは、ＲＦ処理部１１２から受信されたアナログデータをディジタルデータに変換した後、ＯＦＤＭ信号処理部１１４に転送する。この際、アナログディジタルコンバータがＲＦ処理部１１２から受信したデータ（ビットストリーム）はアナログ形式を帯びている。アナログディジタルコンバータは、信号をディジタルで表現するためにアナログ信号を'０'と'１'の形態に表す。
【００３３】
ＯＦＤＭ信号処理部１１４は、ＲＦ処理部１１２から受信したビットストリームに高速フーリエ変換（ＦＦＴ：Fast Fourier Transform）を遂行した処理データを生成する。チャンネル補償部１１６は、ＯＦＤＭ信号処理部１１４から受信した処理データに対するチャンネル推定及びチャンネル補償を遂行した補償データを生成する。チャンネル補償部１１６は、チャンネル等化過程を用いてチャンネル補償を遂行することができる。
【００３４】
デインターリーバ部１１８は、ＯＦＤＭ信号処理部１１４から受信された補償データのデータ列の順序を一定単位（例えば、ブロックの列と行など）で再配列させたデインターリービングデータを生成する。デインターリーバ部１１８は、瞬間的な雑音によるデータ列の中間のビットが損失されてもその影響を局部的に表れるようにして、損失されたビットが復旧できるようにする。
【００３５】
ダイバーシティ処理部１２０は、（i）互いに異なるダイバーシティ処理部と通信を遂行するための通信チップ、（ii）データを格納するためのメモリ、（iii）プログラムを実行して演算及び制御するためのマイクロプロセッサーなどを備えることができる。
【００３６】
本実施形態に従うダイバーシティ処理部１２０は、デインターリーバ部１１８とデマッパー１２２との間に位置できる。ダイバーシティ処理部１２０がデインターリーバ部１１８とデマッパー１２２との間に位置する場合、ダイバーシティ処理部１２０は、デインターリーバ部１１８から受信したデインターリービングデータの出力ビット、出力クロック周波数、ダイバーシティ転送クロック周波数に基づいて最小化したダイバーシティデータ転送ライン数を算出し、ダイバーシティデータ転送ライン数を用いて互いに異なるダイバーシティ処理部と通信を遂行する。この際、ダイバーシティ処理部１２０は、デインターリービングデータの出力ビットと出力クロック周波数の積をダイバーシティ転送クロック周波数で割った値を少数点切上げしてダイバーシティデータ転送ライン数を算出する。
【００３７】
ダイバーシティ処理部１２０は、デインターリーバ部１１８の出力データであるデインターリービングデータの有効区間の間にシンボル開始信号を挿入してダイバーシティ制御転送区間（シンボル開始信号＋出力データ有効区間）を１つのラインに設定する。ダイバーシティ処理部１２０は、シンボルインデックス（Symbol Index）情報を含むシステム情報をシンボル開始信号の次のサイクルのデータラインに転送するようにする。
【００３８】
ダイバーシティ処理部１２０は、ダイバーシティデータ転送ライン数によって直列化（Serialization）したデータをデコーディングし、入力されたデータのシンボルの開始位置を一致させる同期化を遂行し、データ有効区間の間の遅延に対するしきい値を設定して遅延メモリサイズを決定し、スレーブまたはマスターか否かによってデータを転送するか否かを決定する。
【００３９】
ダイバーシティ処理部１２０は、デインターリーバ部１１８のデータ出力区間によってダイバーシティ転送のための追加データバッファーリング無しでダイバーシティ転送信号をシンボル単位でリアルタイム転送する。ダイバーシティ処理部１２０は、シンボル開始信号とデータ有効（Valid）区間の間に遅延（Delay）しきい値に基づいてダイバーシティ結合に用いられる同期化メモリサイズを決定する。ダイバーシティ処理部１２０は、複数のスレーブまたはマスターのうち、いずれか一個所で例外動作が発生してリセットによる初期化が発生する場合、リセットの発生時点がダイバーシティ処理の有効区間を回避するように再生成してシンボル単位で処理されるシンボル単位のデータまたは制御信号の切れによる追加的な制御ロジックを不要にする。
【００４０】
本発明の他の態様によれば、ダイバーシティ処理部１２０は、デマッパー１２２とチャンネル復号化部１２４の上に位置できる。ダイバーシティ処理部１２０がデマッパー１２２とチャンネル復号化部１２４との間に位置する場合、ダイバーシティ処理部１２０はデマッパー１２２から受信した復調データの出力ビット、デインターリービングデータの出力クロック周波数、ダイバーシティ転送クロック周波数に基づいて最小化したダイバーシティデータ転送ピン数を算出し、ダイバーシティデータ転送ピン数を用いて互いに異なるダイバーシティ処理部と通信を遂行する。この際、ダイバーシティ処理部１２０は復調データの出力ビットとデインターリービングデータの出力クロック周波数の積をダイバーシティ転送クロック周波数で割った値を少数点切上げしてダイバーシティデータ転送ピン数を算出する。
【００４１】
ダイバーシティ処理部１２０がデマッパー１２２とチャンネル復号化部１２４との間に位置する場合、ダイバーシティ処理部１２０がデインターリーバ部１１８とデマッパー１２２との間に位置する場合と同一な機能を遂行することができる。
【００４２】
デマッパー１２２は、デインターリーバ部１１８から受信されたデインターリービングデータを復調（Demodulation）した結果である復調データを出力する。この際、デマッパー１２２はデインターリーバ部１１８から受信されたデインターリービングデータをＢＰＳＫ（Binary Phase Shift Keying）、ＱＰＳＫ（Quadrature Phase Shift Keying）、ＱＡＭ（Quadrature Amplitude Modulation）などの復調方式を適用して遂行した復調データを生成する。言い換えると、デマッパー１２２はチャンネルを通過して受信したデインターリービングデータを後端のブロック（チャンネル復号化部１２４）で利用できるように加工（復調）する。デマッパー１２２は、データが送信される時、必要によってＱＰＳＫ（Quadrature Phase Shift Keying）、１６ＱＡＭ（Quadrature Amplitude Modulation）、６４ＱＡＭの方式のうち、いずれか１つの方式により復調した復調データを出力する。チャンネル復号化部１２４は、デマッパー１２２から受信された復調データのデータ列を復号化した復号化データを生成する。
【００４３】
以下、図１に基づいてダイバーシティ処理部１２０が適用されたＩＳＤＢ−Ｔ単一受信チップを２つ以上連結してダイバーシティ受信装置１００の動作について説明する。
【００４４】
ダイバーシティ結合は、スレーブ−０ １１０、スレーブ−１ １３０乃至マスター１５０の順序で遂行され、最終結合された性能はマスター１５０で得ることができる。仮に、２つの経路のみを用いる場合、スレーブ−０ １１０は送信のみを遂行し、マスター１５０は受信のみを遂行してダイバーシティ結合を遂行する。２つ以上の経路を用いる場合、スレーブ−０ １１０は送信、マスター１５０は受信、残りのスレーブは送受信を同時に遂行する。
【００４５】
モバイル放送用受信チップのダイバーシティ結合のために用いるデータは、デマッパー１２２の入力データまたはデマッパー１２２の出力データが用いられる。デマッパー１２２の入力データはチャンネル補償されたＩ、Ｑ（In-phase Quadrature）データとチャンネルパワー情報をいい、デマッパー１２２の出力データは軟判定（Soft Decision）結果値をいう。図１では、ダイバーシティ処理部１２０がデインターリーバ部１１８とデマッパー１２２との間に位置するようになってデマッパー１２２の入力を用いてダイバーシティ結合することを実施形態として説明しているが、デマッパー１２２の出力データを用いても本実施形態の範囲を超過しない。
【００４６】
チャンネル補償部１１６の出力はチャンネル補償されたＩ、Ｑデータとチャンネルパワー情報があり、チャンネル補償されたＩ、Ｑデータとチャンネルパワー情報のビット数はＯＦＤＭ信号処理部１１４で運用されるＦＦＴ出力ビット数及びチャンネル推定値のビット数によって決定される。チャンネル補償部１１６の出力ビット数は周波数及びタイムデインターリーバのメモリサイズに影響を及ぼすので、ダイバーシティ受信装置１００の性能を満たす基準で最小化することが一般的である。
【００４７】
本実施形態に従うダイバーシティ受信装置１００の内のチャンネル補償部１１６でチャンネル補償されたＩ、Ｑデータは、各々符号（Signed）２３ビット（Bit）、チャンネルパワー情報は無符号（Unsigned）２２ビットからなり、性能の低下を最小化する範囲内で浮動（Floating）変換（仮数（Mantissa）と指数（Exponent）として表現）するようになる。チャンネル補償されたＩ、Ｑデータとチャンネルパワー情報は、チャンネル補償部１１６により各々８ビットに浮動変換されてデインターリーバ部１１８の入力ビットの和は２４ビット（８ビット×３）となる。
【００４８】
デインターリーバ部１１８のメモリ出力クロック（Clock）の周波数（Frequency）を受信機のＡＤＣ（Analog-Digital Converter）サンプリングクロック周波数（Sampling Clock Frequency）／２と決定すれば、ダイバーシティの転送クロック周波数によってダイバーシティデータを送るライン数は＜数式１＞により決定される。
【００４９】
【数１】
0006001143.tif 000002
【００５０】
ＲＯＵＮＤ＿ＵＰは少数点切上げ関数をいう。
【００５１】
ＩＳＤＢ−Ｔのダイバーシティ受信装置１００において、ＡＤＣサンプリングクロック周波数は一般的に送信機のＩＦＦＴ（Inverse Fast Fourier Transform）サンプリング周波数（８．１２６９８MHZ）の２倍である１６．２５３９６MHZ以上に決定される。本実施形態に従うダイバーシティ受信装置１００は、ＡＤＣクロックを１６．６７MHZに決定し、受信チップの内で最大利用可能なクロック周波数を１６．６７MHZの６倍である１００MHZに決定する。ダイバーシティ受信装置１００は、ダイバーシティ転送クロック周波数をＡＤＣクロック周波数の３倍に決定する場合、データ転送は４個のライン（４Line）で可能になり、ＡＤＣクロック周波数の６倍に決定する場合、２つのラインを用いてダイバーシティ結合に必要なデータを伝達可能になる。ダイバーシティ受信装置１００は、高速のクロックを用いるほどピン数を減らすことができる長所があるが、タイミングマージン不足による動作及び各ラインでのＳＳＮ（Simultaneous Switching Noise）まで考慮した基準を満たす範囲内でクロック周波数を決定するようになる。
【００５２】
ダイバーシティ受信装置１００の内のダイバーシティ処理部１２０がデマッパー１２２の後に位置する場合、軟判定データのビット数の決定によってダイバーシティデータ転送ピン数は＜数式２＞のように決定される。
【００５３】
【数２】
0006001143.tif 000003
【００５４】
ＲＯＵＮＤ＿ＵＰは少数点切上げ関数をいう。
【００５５】
ＩＳＤＢ−Ｔの場合、６４ＱＡＭ（Quadrature Amplitude Modulation）をサポートしなければならないので、ダイバーシティ受信装置１００は軟判定ビットを４ビットに決定する場合、出力ビットが２４ビット（＝４ビット×６）となる。前述したように、ダイバーシティ受信装置１００はダイバーシティ転送クロック周波数をＡＤＣクロック周波数の３倍に決定する場合、データ転送は４個のラインとなり、ＡＤＣクロック周波数の６倍に決定する場合、２つのラインを用いて伝達可能である。
【００５６】
モバイル放送用のダイバーシティ受信装置１００において、ダイバーシティ機能を具現する時、データピンの以外に用いられるフィンは一般的にダイバーシティ転送クロック、シンボル開始（Symbol Start）信号、データ有効（Valid）信号などがある。本実施形態ではダイバーシティ受信装置１００の内のデインターリーバ部１１８の出力クロックの周波数を受信機のＡＤＣサンプリングクロック周波数／２で運用する特徴を用いてデータ有効区間の間にシンボル開始信号を生成して１つのピンを減らすことができる。
【００５７】
本実施形態に従うダイバーシティ受信装置１００の構造を適用する場合、ダイバーシティインターフェースのために最終的に必要なライン数は以下に説明する通りであり、スレーブ−０ １１０、マスター１５０のダイバーシティのためのピン数はライン数と同一であり、残りのスレーブのピン数はライン数×２となる。
【００５８】
ダイバーシティ受信装置１００がダイバーシティ転送クロック周波数をＡＤＣクロック周波数の３倍に決定する場合、総ライン数は'６'となる。ここで、総ライン数（６）はダイバーシティ転送クロック（１）＋ダイバーシティ制御信号（１）＋ダイバーシティデータライン（４）となることができる。ダイバーシティ受信装置１００がダイバーシティ転送クロック周波数をＡＤＣクロック周波数の６倍に決定する場合、総ライン数は'４'となる。ここで、総ライン数（４）はダイバーシティ転送クロック（１）＋ダイバーシティ制御信号（１）＋ダイバーシティデータライン（２）となることができる。
【００５９】
ダイバーシティ受信装置１００は、シンボル開始信号を１クロックに生成し、以後に数乃至数十クロックサイクルの間システム関連した情報及びデータ結合に必要な受信状態情報などをデータ区間の以前にデータラインに乗せて予め伝達してくれる。ダイバーシティ受信装置１００は、データラインに乗せているデータを用いてデータ結合に必要な判断を遂行する。この際、ダイバーシティ受信装置１００は各受信チップの受信状態によってチャンネル補償されたＩ、Ｑデータまたは復元されたデータのうち、一方のデータのみ利用したり、各々のデータに加重値を与え、ダイバーシティ結合を遂行するようになる。
【００６０】
ダイバーシティ結合までの過程はダイバーシティ受信装置１００の内のデインターリーバ部１１８の出力からＯＦＤＭシンボル単位でリアルタイムになされるので、何サイクルずつのレイテンシ（Latency）のみ存在し、シンボル同期化のための遅延（Delay）メモリの以外に追加的なメモリを必要としない。ダイバーシティ受信装置１００は、ダイバーシティ結合のために両側経路のシンボル同期化を合せることに必要な遅延メモリは、シンボル開始信号とデータ有効区間の間にしきい値を置いて運用する方式によりメモリサイズを制限することができる。
【００６１】
ダイバーシティ受信装置１００の内のマスター１５０のダイバーシティ処理部では、最終的にダイバーシティ結合されたチャンネル補償されたＩ、Ｑデータとチャンネルパワー情報をデマッパー１２２に伝達して単一受信チップ対比信頼度の高い軟判定データを得てチャンネル復号化部１２４に伝達するため、より良い受信性能を得ることができる。
【００６２】
図２は、本発明の実施形態に従うダイバーシティインターフェースのタイミングを示す図である。
【００６３】
図２は、ダイバーシティインターフェースに対するタイミングを示す。図２に図示されたＯＦＤＭシンボル２０２はＩＳＤＢ−ＴのタイムドメインＯＦＤＭシンボルであり、モード３、保護区間（Guard Interval）が１／８の時、シンボル長さは１，００８ｕｓである。有効区間２０４はデインターリーバ部１１８の出力データの有効区間をいい、１つのシンボル当たりサンプル数はモード３（Mode３）を基準に４，９９２個であり、有効区間２０４の長さは１，０００／（ＡＤＣクロック（１６．６７）／２）×４，９９２＝５９９ｕｓとなる。デインターリーバ部１１８の出力データ２０６は２４ビット（Ｉ：８ビット、Ｑ：８ビット、チャンネルパワー：８ビット）×４，９９２個のサンプルで構成されている。デインターリーバ部１１８の出力データの有効区間２０４の間の間隔が４０９ｕｓ（＝１００８−５９９）となり、このような間隔の中間地点に新しく生成されたシンボル開始信号２０８を挿入することができる。ダイバーシティ受信装置１００は、シンボル開始信号２０８の以後にはシステム情報を直列化して伝達する。関連システム情報２１６はダイバーシティ結合及びチャンネル復号化部１２４の運用に用いられる。
【００６４】
ダイバーシティ結合のためのデータでデインターリーバ部１１８の出力データ２１２を＜数式１＞で決定されたライン数に合うように直列化して伝達する。
【００６５】
例えば、ダイバーシティデータ転送ライン数＝ＲＯＵＮＤ＿ＵＰ（デインターリーバ部１１８の出力ビット×デインターリーバ部１１８の出力クロック周波数／ダイバーシティ転送クロック周波数）となる。ダイバーシティ受信装置１００は、２４×（１６．６７／２）／（１６．６７×３）＝２４×１／６＝４ラインの２４ビットデータ（２１２）を１／６に直列化して４個のラインにデータを転送する。
【００６６】
図３は、本発明の実施形態に従うダイバーシティ処理部を概略的に示すブロック構成図である。
【００６７】
本実施形態に従うダイバーシティ処理部１２０は、受信信号デコーダ部３０４、結合部３１０、及び転送信号エンコーダ部３２４を含む。ダイバーシティ処理部１２０に含まれた構成要素は必ずこれに限定されるものではない。
【００６８】
図３は、ダイバーシティ処理部１２０の基本構造である。入力データ３０２はダイバーシティインターフェースラインで計算されたライン数によってシステム情報及びダイバーシティ結合に必要なデータが直列化して伝達されたデータをいう。入力データ３０２は、ダイバーシティ転送クロック及びダイバーシティ制御信号を含む。
【００６９】
受信信号デコーダ部３０４は、ダイバーシティデータ転送ライン数によって直列化したデータをデコーディングする。受信信号デコーダ部３０４は、直列化したデータを元の通り復旧する。受信信号デコーダ部３０４は、ダイバーシティ結合のためのチャンネルパワー情報、チャンネル補償されたＩ、Ｑデータが元の通り復元（３０６）し、システム情報も元の通り復元（３０８）してダイバーシティ結合部３１０に伝達する。
【００７０】
結合部３１０は入力されたデータのシンボルの開始位置を一致させる同期化を遂行し、データ有効区間の間の遅延に対するしきい値を設定して遅延メモリサイズを決定する。結合部３１０は両側経路（３０６、３０８）からリアルタイムに入力されるシンボルの開始位置を一致させるための同期化過程を遂行し、シンボル開始信号とデータ有効区間の間で遅延のしきい値を設定して遅延メモリサイズを決定する。結合部３１０は、図２で説明したタイミングでシンボル開始信号２０８の生成時点からデータ有効開始時点までの時間を１５０ｕｓに設定すれば、遅延メモリデップス（Depth）は５０００（＝１５０，０００／（１，０００／１６．６７／２））となり、メモリ幅（Width）は２４ビットとなる。結合部３１０は、両側経路（３０６、３０８）のシンボル遅延偏差が１５０ｕｓ以内に入る場合、まず入った経路のデータを予めメモリに格納した後、後で入る経路のデータと同期を合せてダイバーシティ結合を遂行した後、チャンネル復号化部１２４に伝達され、遅延偏差が１５０ｕｓを超過する場合、先に入った経路をバイパス（Bypass）してチャンネル復号化部１２４に伝達する。
【００７１】
転送信号エンコーダ部３２４は、スレーブ１１０、１３０またはマスター１５０か否かによってデータを転送するか否かを決定する。現在、受信チップの状態がスレーブ１１０、１３０として動作する場合、転送信号エンコーダ部３２２はダイバーシティ転送ラインに合うようにデータを直列化した後、ダイバーシティインターフェース３２４を介して次の受信チップに伝達される。転送信号エンコーダ部３２４は、現在受信チップの状態が最初のスレーブ（スレーブ−０ １１０）の場合にはダイバーシティ結合を遂行しない。
【００７２】
最初のスレーブ（スレーブ−０ １１０）の場合、転送信号エンコーダ部３２４は自身のデータ情報を次のスレーブ（例えば、スレーブ−１ １３０）に伝達する。仮に、最初のスレーブ（スレーブ−０ １１０）でない場合、転送信号エンコーダ部３２４はダイバーシティ結合を遂行したデータを次のスレーブに伝達する。入力マックス３１８はスレーブ−０ １１０か否かによって転送信号エンコーダ部３２２に入力されるデータを選択するようになる。入力マックス３２０もスレーブ−０ １１０か否かによって転送信号エンコーダ部３２２に入力されるシステム情報を選択するようになる。
【００７３】
図４は、本発明の実施形態に従う受信チップを初期化するリセット信号を再生成するタイミングを示す図である。
【００７４】
図４では、受信チップを初期化するリセット信号を再生成するタイミングを示す。一方の受信チップの受信状態が悪かったり、動作中に異常現象が発生する場合、一般的に受信チップは自動的に初期化され、チューニングからまた始めるようになる。ダイバーシティ運用中、一方の受信チップで例外動作が発生して受信チップが初期化される場合、ダイバーシティ受信装置１００の内のダイバーシティ処理部の内で両側経路のデータを処理する中にデータや制御信号が切れるシナリオを考慮した複雑な制御ロジックが必要となる。本実施形態に従うダイバーシティ受信装置１００は、受信チップを初期化するリセット信号が発生する時、ダイバーシティ処理有効区間を回避するようにリセット信号をまた生成してくれる機能を用いてシンボル単位で処理される結合部３１０の制御ロジックを単純化させる。
【００７５】
以上の説明は、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明は本発明の技術思想を限定するためのものではなく、説明するためのものであり、このような実施形態により本発明の技術思想の範囲が限定されるものではない。本発明の保護範囲は請求範囲により解釈されなければならず、それと同等な範囲内にある全ての技術思想は本発明の権利範囲に含まれるものと解釈されるべきである。
【符号の説明】
【００７６】
１００    ダイバーシティ受信装置
１１０    スレーブ−０
１１２    ＲＦ処理部
１１４    ＯＦＤＭ信号処理部
１１６    チャンネル推定及び補償部
１１８    デインターリーバ部
１２０    ダイバーシティ処理部
１２２    デマッパー
１２４    チャンネル復号化部
１３０    スレーブ−１
１５０    マスター
３０４    受信信号デコーダ部
３１０    結合部
３２２    転送信号エンコーダ部
【図１】
0006001143.tif 000004
【図２】
0006001143.tif 000005
【図３】
0006001143.tif 000006
【図４】
0006001143.tif 000007